(57)【要約】【課題】ＦＰＣ／ＦＦＣなどのシート状の接続対象物用のコネクタであって汎用性があり且つ接続対象物をスムーズに斜め挿入可能なコネクタを提供すること。【解決手段】コネクタ１は、挿入口２を有しており、その挿入口２に対して斜め下方向に向けて挿入されたＦＰＣ／ＦＦＣ６０と接続するものである。コネクタ１の備えるコンタクト２０は、上方に向かって延びる立部２５と、その立部２５から後側に向かって延びるバネ部２６と、前後上下方向で規定される面内において変位可能となるようにバネ部２６に支持された接触部２７とを有している。挿入口２からＦＰＣ／ＦＦＣ６０の端部６２を後斜め下方向に向けて挿入すると、たとえ接触部２７に当たったとしても接触部２７が下側若しくは前斜め下側に変位することから、接触部２７などがＦＰＣ／ＦＦＣ６０の端部６２の挿入の妨げになることはない。【選択図】図４
2011187187.tif 000002
【特許請求の範囲】
【請求項１】
挿入口を有し且つ当該挿入口に対して挿入されたシート状の接続対象物と接続するコネクタであって、
ハウジングと、
該ハウジングに保持されたコンタクトであって、上方に向かって延びる立部と、該立部から後側に向かって延びるバネ部と、前後上下方向で規定される面内において変位可能となるように前記バネ部に支持された接触部とを有するコンタクトと、
開位置と閉位置との間で回動可能となるように前記ハウジングに支持されたアクチュエータであって、前記接続対象物が前記挿入口に挿入された状態で前記開位置から前記閉位置まで回動させられた際に、前記接続対象物を前記接触部に対して押し付ける押し付け部を有し、前記押し付け部により前記接触部と前記接続対象物とを互いに加圧接触させるアクチュエータと
を備えるコネクタ。
【請求項２】
請求項１記載のコネクタであって、
前記コンタクトは、前記押し付け部上に亘るように延びると共に前記アクチュエータが前記開位置から前記閉位置まで回動させられた際に前記押し付け部を前記接触部に向けて押圧する押圧部を更に有している
コネクタ。
【請求項３】
請求項１又は請求項２記載のコネクタであって、
前記バネ部は、斜め下方に向かって延びており、
前記接触部は、前記バネ部の自由端に位置している
コネクタ。
【請求項４】
請求項１乃至請求項３のいずれかに記載のコネクタであって、
前記コンタクトは、前後方向に延びる基部と、該基部から上方に向かって延びると共に前記ハウジングに保持された前側被保持部及び後側被保持部とを更に有しており、
前記立部は、前記前後方向において、前記前側被保持部と前記後側被保持部との間に位置している
コネクタ。
【請求項５】
請求項４に記載のコネクタであって、
前記ハウジングは、当該ハウジングの底面から前記挿入口まで連通したコンタクト収容部を有しており、
前記コンタクトは、少なくとも前記立部、前記バネ部及び前記接触部が前記コンタクト収容部内に位置するように、前記ハウジングの前記底面側から前記ハウジングに対して取り付けられている
コネクタ。
【請求項６】
請求項１乃至請求項５のいずれかに記載のコネクタであって、
前記アクチュエータは前方に向けて倒すことにより前記開位置から前記閉位置まで回動させられるように前記ハウジングに取り付けられている
コネクタ。
【請求項７】
請求項１乃至請求項６のいずれかに記載のコネクタであって、
当該コネクタを基板上に固定するためのホールドダウンを左右両端に更に備えるコネクタにおいて、
前記アクチュエータは、左右両端に突出した軸部を有しており、
前記ハウジングは、該軸部を受ける軸受部を有しており、
前記ホールドダウンは、少なくとも部分的に前記軸受部に収容された前記軸部が該軸受部外に出てしまうことを防止するための軸抑え部を有している
コネクタ。
【発明の詳細な説明】
【技術分野】
【０００１】
本発明は、ＦＰＣ（Flexible Printed Circuit）やＦＦＣ（Flexible Flat
Cable）のような板状又はシート状の接続対象物と接続するコネクタに関する。
【背景技術】
【０００２】
この種のコネクタとしては例えば特許文献１に開示されたものがある。
【０００３】
特許文献１記載のコネクタは、ハウジングの前側から当該ハウジングに挿入され保持されたフロントコンタクトと、ハウジングの後側から当該ハウジングに挿入され保持されたリアコンタクトとを有している。特許文献１のコネクタにおいては、挿入口に対してＦＰＣ／ＦＦＣの端部を斜め下方向に向けて挿入し、アクチュエータを操作することにより、フロントコンタクト及びリアコンタクトとＦＰＣ／ＦＦＣの接続を図ることができる。
【先行技術文献】
【特許文献】
【０００４】
【特許文献１】特開２００９−２６６６７４号公報
【発明の概要】
【発明が解決しようとする課題】
【０００５】
特許文献１のコネクタにおけるフロントコンタクトの接点部は変位不能となるようにハウジングに保持されており、ＦＰＣ／ＦＦＣの挿入の妨げになる虞がある。
【０００６】
また、ＦＰＣ／ＦＦＣの挿入時にＦＰＣ／ＦＦＣの先端がコンタクトの先端部に当たらないようにハウジングの開口に凸部を設け、この凸部に奥に向かう下り斜面を形成してＦＰＣ／ＦＦＣの挿入の妨げにならないようにしている。
【０００７】
そこで、本発明は、ＦＰＣ／ＦＦＣなどのシート状の接続対象物用のコネクタであって、ハウジングに余分な構成を設けずに接続対象物をスムーズに挿入可能なコネクタを提供することを目的とする。
【課題を解決するための手段】
【０００８】
本発明は、第１のコネクタとして、挿入口を有し且つ当該挿入口に対して挿入されたシート状の接続対象物と接続するコネクタであって、
ハウジングと、
該ハウジングに保持されたコンタクトであって、上方に向かって延びる立部と、該立部から後側に向かって延びるバネ部と、前後上下方向で規定される面内において変位可能となるように前記バネ部に支持された接触部とを有するコンタクトと、
開位置と閉位置との間で回動可能となるように前記ハウジングに支持されたアクチュエータであって、前記接続対象物が前記挿入口に挿入された状態で前記開位置から前記閉位置まで回動させられた際に、前記接続対象物を前記接触部に対して押し付ける押し付け部を有し、前記押し付け部により前記接触部と前記接続対象物とを互いに加圧接触させるアクチュエータと
を備えるコネクタを提供する。
【０００９】
また、本発明は、第２のコネクタとして、第１のコネクタであって、
前記コンタクトは、前記押し付け部上に亘るように延びると共に前記アクチュエータが前記開位置から前記閉位置まで回動させられた際に前記押し付け部を前記接触部に向けて押圧する押圧部を更に有している
コネクタを提供する。
【００１０】
また、本発明は、第３のコネクタとして、第１又は第２のコネクタであって、
前記バネ部は、斜め下方に向かって延びており、
前記接触部は、前記バネ部の自由端に位置している
コネクタを提供する。
【００１１】
また、本発明は、第４のコネクタとして、第１乃至第３のいずれかのコネクタであって、
前記コンタクトは、前後方向に延びる基部と、該基部から上方に向かって延びると共に前記ハウジングに保持された前側被保持部及び後側被保持部とを更に有しており、
前記立部は、前記前後方向において、前記前側被保持部と前記後側被保持部との間に位置している
コネクタを提供する。
【００１２】
また、本発明は、第５のコネクタとして、第４のコネクタであって、
前記ハウジングは、当該ハウジングの底面から前記挿入口まで連通したコンタクト収容部を有しており、
前記コンタクトは、少なくとも前記立部、前記バネ部及び前記接触部が前記コンタクト収容部内に位置するように、前記ハウジングの前記底面側から前記ハウジングに対して取り付けられている
コネクタを提供する。
【００１３】
また、本発明は、第６のコネクタとして、第１乃至第５のいずれかのコネクタであって、
前記アクチュエータは前方に向けて倒すことにより前記開位置から前記閉位置まで回動させられるように前記ハウジングに取り付けられている
コネクタを提供する。
【００１４】
更に、本発明は、第７のコネクタとして、第１乃至第６のいずれかのコネクタであって、
当該コネクタを基板上に固定するためのホールドダウンを左右両端に更に備えるコネクタにおいて、
前記アクチュエータは、左右両端に突出した軸部を有しており、
前記ハウジングは、該軸部を受ける軸受部を有しており、
前記ホールドダウンは、少なくとも部分的に前記軸受部に収容された前記軸部が該軸受部外に出てしまうことを防止するための軸抑え部を有している
コネクタを提供する。
【発明の効果】
【００１５】
本発明のコンタクトは、上方に向かって延びる立部とその立部から後側に向かって延びるバネ部とを備えており、接続対象物と接触する接触部は前後上下方向で規定される面内において変位可能となるようにバネ部に支持されている。そのため、接続対象物が挿入口に対して斜め下方向に向けて挿入される際に、コンタクトの接触部等がその挿入の妨げになることはない。
【００１６】
加えて、コンタクトが前側被保持部及び後側被保持部を備えている場合には、更なる効果も奏しうる。例えば、特許文献１のリアコンタクトのように、後側だけでハウジングに保持される一方で、その接触部が変位可能となるようにバネ上の部位で支持されている場合、ＦＰＣ／ＦＦＣと接触部の接触の際の反力により、回路基板とリアコンタクトの接続部に好ましくない力が加わることがある。これに対して、前側被保持部及び後側被保持部がハウジングに保持されており、且つ、前後方向において立部が前側被保持部及び後側被保持部の間に位置している場合には、ＦＰＣ／ＦＦＣと接触部の接触の際の反力が前側被保持部及び後側被保持部とハウジングに吸収され、回路基板とコンタクトの接続部に好ましくない力が加わることが軽減される。
【図面の簡単な説明】
【００１７】
【図１】本発明の実施の形態によるコネクタを示す正面側斜視図である。
【図２】図１のコネクタの右側端部近傍を拡大して示す部分拡大図である。
【図３】図１のコネクタを示す背面側斜視図である。
【図４】図１のコネクタをIV--IV線に沿って示す断面図である。ここで、アクチュエータは開位置にある。
【図５】図４に対応するコネクタの他の断面図である。ここで、アクチュエータは閉位置にある。
【図６】図４のコネクタの変形例を示す断面図である。
【発明を実施するための形態】
【００１８】
図１乃至図５を参照して、本実施の形態によるコネクタ１は、回路基板（図示せず）の主面上に搭載され、ＦＰＣ／ＦＦＣ（接続対象物）６０と接続されるものである。特に、本実施の形態によるコネクタ１は、上面側に開口した挿入口２を有している。この挿入口２は、コネクタ１の前端３と後端４との間に位置しており、挿入口２から後斜め下方向に向けてＦＰＣ／ＦＦＣ６０の端部６２が挿入された状態で、後述するようにアクチュエータ３０を操作すると、コンタクト２０の接触部２７とＦＰＣ／ＦＦＣ６０の端部６２に設けられた端子部（図示せず）とを互いに加圧接触させることができる。以下、各部の構造等について詳細に説明する。
【００１９】
コネクタ１は、絶縁性材料からなるハウジング１０と、金属からなるコンタクト２０と、絶縁性材料からなるアクチュエータ３０と、金属からなるホールドダウン４０とを備えている。
【００２０】
図２、図４及び図５に示されるように、ハウジング１０には、ＦＰＣ／ＦＦＣ６０とコネクタ１との接続時にＦＰＣ／ＦＦＣ６０を受ける斜め受け面１１と、コネクタ１の前端３近傍に位置している前側保持部１２と、コネクタ１の後端４近傍に位置している後側保持部１３と、底面１４と挿入口２とを連通するコンタクト収容部１５と、軸受部１６とが形成されている。このうち、斜め受け面１１は、緩やかな曲面を有しつつ後斜め下方向に向かって延びている。また、軸受部１６は、ハウジング１０の左右方向（Ｙ方向）の両端部に形成されている。
【００２１】
図４及び図５に示されるように、コンタクト２０は、前後方向に延びる基部２１と、回路基板（図示せず）に固定される固定部２２と、ハウジング１０の前側保持部１２に保持される前側被保持部２３と、ハウジング１０の後側保持部１３に保持される後側被保持部２４と、基部２１から上方（＋Ｚ方向）に向かって延びる立部２５と、立部２５から後側に向かって延びるバネ部２６と、ＦＰＣ／ＦＦＣと接触する接触部２７と、アクチュエータ３０の動きを規制する押圧部２８とを有している。詳しくは、固定部２２は、基部２１から前方（−Ｘ方向）に延びている。前側被保持部２３は、基部２１から上方に向かって延びており、前側保持部１２内に圧入されている。後側被保持部２４は、基部２１から上方に向かって延びており、後側保持部１３に係止されている。立部２５は、前後方向（Ｘ方向）において前側被保持部２３と後側被保持部２４との間に位置している。バネ部２６は立部２５の先端から後側（より具体的には、わずかに後斜め下向き）に延びており、立部２５とバネ部２６とは逆Ｌ字状の形状を構成している。本実施の形態による接触部２７はバネ部２６の自由端にて構成されている。換言すると、バネ部２６は、その弾性により接触部２７を支持しており、それによって接触部２７がＸＺ平面（前後上下方向で規定される面）内において変位可能となっている。より具体的には、接触部２７は、何らかの力を受けると、前斜め下方向に移動しうるようにバネ部２６に支持されている。押圧部２８は、後側被保持部２４から前斜め上方（＋Ｚ方向且つ−Ｘ方向）に延びている。
【００２２】
本実施の形態によるコンタクト２０は、ハウジング１０の底面１４側からハウジング１０に挿入され取付けられている。これにより、コンタクト２０の立部２５、バネ部２６及び接触部２７はハウジング１０のコンタクト収容部１５内に位置している。特に、接触部２７は、何らの負荷も加わらない状態では、ハウジング１０の斜め受け面１１から後方（＋Ｘ方向）に突出している。この接触部２７は、バネ部２６によって弾性支持されていることから下向き（−Ｚ方向）又は前向き（−Ｘ方向）の力を受けると、斜め受け面１１よりも内側に移動する。
【００２３】
アクチュエータ３０は、左右両端に外側に突出した軸部３２と、押し付け部３４とを有している。図２に示されるように、軸部３２をハウジング１０の軸受部１６内に少なくとも部分的に収容される。これにより、アクチュエータ３０は、開位置（図４参照）と閉位置（図５参照）との間で回動可能となるようにハウジング１０に支持されている。
【００２４】
図５に示されるように、アクチュエータ３０が閉位置にある状態において、押し付け部３４は後端近傍に位置している。この押し付け部３４は、ＸＺ平面内においてカプセルのような断面形状を有しており、その中心は軸部３２の中心とはズレている。図４及び図５に示されるように、前述のコンタクト２０の押圧部２８は、常に押し付け部３４上に亘るように延びている。
【００２５】
図４に示されるように、アクチュエータ３０が開位置にあるとき押し付け部３４の長軸（長手方向）は押圧部２８と略平行となっている。このとき、押し付け部３４とハウジング１０の斜め受け面１１との間にスペースができる。このスペースは、挿入口２から後斜め下方向に延び、更に、後方に広がっている。このスペースがあるため、ＦＰＣ／ＦＦＣ６０の端部６２を挿入口２から後斜め下方向に向けて挿入することができる。上述したように、コンタクト２０の接触部２７は、何らの負荷も加わらない状態では、このスペース内に突出している。
【００２６】
一方、図５に示されるように、アクチュエータ３０が閉位置にあるとき、押し付け部３４の長軸（長手方向）は押圧部２８の延びる方向と交差する方向に向いている。このため、アクチュエータ３０が閉位置にあるとき押圧部２８は押し付け部３４から押し上げられ、その反力として押し付け部３４は押圧部２８により前斜め下方向に向かって押圧される。本実施の形態においては、押圧部２８により押圧された押し付け部３４の向かう方向にコンタクト２０の接触部２７が位置している。そのため、ＦＰＣ／ＦＦＣ６０の端部６２が挿入口２に挿入された状態においてアクチュエータ３０を開位置から閉位置まで回動すると、押圧部２８が押し付け部３４を接触部２８に向けて押圧し、それによって押し付け部３４はＦＰＣ／ＦＦＣ６０の端部６２を接触部２８に対して押し付ける。その結果、ＦＰＣ／ＦＦＣ６０の端部６２に形成された端子部（図示せず）と接触部２７との電気的接続が図られる。
【００２７】
図１及び図２に示されるように、ホールドダウン４０は、ハウジング１０の左右両端部に取り付けられる。このホールドダウン４０は、図２に示されるように、回路基板（図示せず）に固定される固定部４２と、軸受部１６に部分的に収容された軸部３２が軸受部１６の外に出てしまうことを防止するための軸抑え部４４とを有している。本実施の形態による軸抑え部４４は、下側に突出する曲面を有しており、回動する軸部３２上を摺動し得るように構成されている。そのため、軸部３２は軸受部１６から外れてしまうことがない一方で軸受部１６内にてスムーズに回動することができる。
【００２８】
本実施の形態においては、バネ部２６によって支持された接触部２７が下向き（−Ｚ方向）の力を受けると、接触部２７が下側若しくは前斜め下側に変位する。従って、ＦＰＣ／ＦＦＣ６０の端部６２を挿入口２からコネクタ１内に挿入する際にＦＰＣ／ＦＦＣ６０の端部６２がたとえ接触部２７に当たったとしても、接触部２７は斜め受け面１１の内側に移動するため、コンタクト２０がＦＰＣ／ＦＦＣ６０の端部６２の挿入の妨げになることはない。
【００２９】
また、前側被保持部２３を前側保持部１２に保持され且つ後側被保持部２４を後側保持部１３に保持されており、それらの間に立部２５、バネ部２６及び接触部２７が設けられていることから、接触部２７に斜め下方向の力が加わっても前後の保持により受けられるため、固定部２２に好ましくないモーメントなどが加わることを避けることができる。
【００３０】
更に、押圧部２８が単純な前方向ではなく前斜め上方向に延びていることからコネクタ１の高さを高くすることなく、ＦＰＣ／ＦＦＣ６０の端部を斜めに受け入れ可能なスペースを構成することができる。
【００３１】
以上、本発明について具体的構成を掲げて説明してきたが、本発明はこれらに限定されるものではない。例えば、上述した実施の形態においてはアクチュエータ３０の軸部３２がハウジング１０の軸受部１６の外に出てしまうことを防止するための軸抑え部４４をホールドダウン４０に設けているが、軸抑え部４４を他の部品に設けることとしてもよい。また、上述した実施の形態においては、コンタクト２０の押圧部２８によってもアクチュエータ３０の軸部３２の上方移動が規制されているが、例えば、軸抑え部４４のような手段がある場合には、図６に示されるように、コンタクト２０の押圧部２８を省略することもできる。
【符号の説明】
【００３２】
１        コネクタ
２        挿入口
３        前端
４        後端
１０        ハウジング
１１        斜め受け面
１２        前側保持部
１３        後側保持部
１４        底面
１５        コンタクト収容部
１６        軸受部
２０        コンタクト
２１        基部
２２        固定部
２３        前側被保持部
２４        後側被保持部
２５        立部
２６        バネ部
２７        接触部
２８        押圧部
３０        アクチュエータ
３２        軸部
３４        押し付け部
４０        ホールドダウン
４２        固定部
４４        軸抑え部
６０        ＦＰＣ／ＦＦＣ（接続対象物）
６２        端部
【図１】
2011187187.tif 000003
【図２】
2011187187.tif 000004
【図３】
2011187187.tif 000005
【図４】
2011187187.tif 000006
【図５】
2011187187.tif 000007
【図６】
2011187187.tif 000008